(57)【特許請求の範囲】
【請求項１】
上側に天板を有するプリンタ本体と、前記プリンタ本体の前面に配置されて下端部を中心として開閉可能な開閉蓋ユニットと、を有するロール紙プリンタであって、
前記プリンタ本体に備えられるもので、転動可能な状態で記録紙が巻かれたロール紙を収納するロール紙収納部と、
前記プリンタ本体の前面に配置されて下端部を中心として開閉可能な前記開閉蓋ユニットと、
前記開閉蓋ユニットに備えられ、前記開閉蓋ユニットが閉状態のとき、前記ロール紙収納部の上方前側部分に配置される記録紙搬送用のローラと、
前記プリンタ本体に備えられ、前記開閉蓋ユニットが閉状態のとき、前記ローラと対向し前記記録紙に印刷可能な印刷位置を規定する印刷ヘッドと、
前記ロール紙収納部の上方後側部分から上方前側部分に亘って構成され、前記ロール紙から繰り出されて前記印刷位置に至る前記記録紙の部分を付勢することにより湾曲状態に保持可能な記録紙付勢機構と、
前記記録紙付勢機構は、前記ローラの後側から前記ロール紙収納部の上方後側部分まで延びている記録紙付勢板と、この記録紙付勢板を前記ロール紙収納部の前後方向の中心よりも後ろ側の部位において支持している支軸と、前記記録紙付勢板の前記支軸より後側の部位を上方に向けて付勢している付勢部材と、を備え、
前記支軸は、前記ロール紙収納部に収納される前記ロール紙の上端に沿った位置に配置され、
前記記録紙付勢板の前端部は、前記天板と前記ロール紙収納部との間に形成されるもので、前記ロール紙収納部の上方前側の隅でプリンタ幅方向に延びて形成されるデッドスペースに配置され、前記ロール紙を上側から押し付けて、該ロール紙を下方に湾曲させた状態に保持するとともに、前記支軸により上下方向に回動可能に支持されていることを特徴とするロール紙プリンタ。
【請求項２】
請求項１において、
前記記録紙付勢板は、前記ロール紙収納部に収納可能な最大径のロール紙の外周面部分に沿う状態に配置されていることを特徴とするロール紙プリンタ。
【請求項３】
請求項１ないし２のうちのいずれかの項において、
前記ローラおよび前記記録紙付勢機構は、前記ロール紙収納部の前後方向の長さ寸法内に納まるように配置されていることを特徴とするロール紙プリンタ。
【請求項４】
請求項１ないし３のうちのいずれかの項において、
前記開閉ユニットには、固定刃を備え、
前記プリンタ本体には、可動刃と、前記記録紙付勢板の下側への回動を制限するためのストッパを備え、
前記開閉ユニットを開くと、前記印刷位置から前記固定刃と前記可動刃による切断位置を含む記録紙搬送路が開放状態となるとともに、前記記録紙付勢板は前記ストッパにより下側への回動が制限されることを特徴とするロール紙プリンタ。
【請求項５】
請求項１ないし４のうちのいずれかの項において、
前記開閉ユニットの前記記録紙付勢板の近傍に記録紙検出器を備え、
前記記録紙付勢板は導電性のある材料から形成されていることを特徴とするロール紙プリンタ。
【発明の詳細な説明】
【技術分野】
【０００１】
本発明は、ロール紙の側から作用する慣性力を緩和して記録紙の送り動作を円滑に行わせるための記録紙付勢機構を備えたロール紙プリンタに関し、特に、小型でコンパクトなロール紙プリンタに適した記録紙付勢機構の配置構造に関するものである。
【背景技術】
【０００２】
芯管にテープ状の記録紙がロール状に巻き付けられた構成のロール紙に印刷を行うロール紙プリンタとして特許文献１に開示のものが知られている。この文献に開示されているプリンタでは、プリンタ本体の上面に開閉自在に蓋体が取り付けられており、また、プリンタ本体側にプラテンローラが取り付けられ、蓋体の側にプリントヘッドが取り付けられている。蓋体を開けると、用紙収容部の上側が開放状態になり、上側からロール紙の交換作業を簡単に行うことができる。また、プリントヘッドとプラテンローラが離れるので、これらの間に用紙をセットする作業も簡単に行うことができる。
【０００３】
このようなロール紙プリンタでは、プラテンローラによる記録紙の送り動作時には、ロール紙収納部（用紙収容部）に収納されているロール紙の慣性力が記録紙に作用し、かかる力によって記録紙を送り出せずプラテンローラに滑りが発生するおそれがある。記録紙を適切に送り出せないと、印字間隔が詰まるなどの弊害が生ずる。そこで、従来においては、ロール紙から繰り出されてプラテンローラに向かう記録紙の部分を弾性力によって面外方向に付勢して当該部分を湾曲状態に保持可能な記録紙付勢機構が用いられている。
【０００４】
プラテンローラによって記録紙が送り出される時には、記録紙に作用する送り出し方向の引張り力が直接にロール紙に作用せずに、湾曲状態の記録紙の部分に作用する。したがって、記録紙の送り時には、記録紙にはロール紙の慣性力が作用せずに、弾性力によって規定される一定の引張り力が作用する。よって、ロール紙の慣性力による大きな引張り力が作用しないので、プラテンローラによる安定した記録紙の送り動作を確保できる。
【特許文献１】特開２０００−２８９２７２号公報
【発明の開示】
【発明が解決しようとする課題】
【０００５】
ここで、高さに余裕のない場所などにロール紙プリンタを設置する場合などにおいては、ロール紙収納部に対して上側からロール紙を出し入れする構成を採用できない。このような場合には、プリンタ前面からロール紙収納部に対してロール紙を出し入れできるようにすればよい。また、この場合においてもロール紙の慣性力が直接に、ここから繰り出されている記録紙に作用しないように記録紙付勢機構を組み込むことが望ましい。しかしながら、高さ寸法に制限があるので、記録紙付勢機構の配置に工夫が必要である。
【０００６】
本発明の課題は、この点に鑑みてなされたものであり、高さ寸法の増加を招くことなく記録紙付勢機構が組み込まれたロール紙プリンタを提案することにある。
【課題を解決するための手段】
【０００７】
上記課題を解決するために、本発明のロール紙プリンタは、
上側に天板を有するプリンタ本体と、前記プリンタ本体の前面に配置されて下端部を中心として開閉可能な前記開閉蓋ユニットと、を有するロール紙プリンタであって、
前記プリンタ本体に備えられるもので、転動可能な状態で記録紙が巻かれたロール紙を収納するロール紙収納部と、
前記開閉蓋ユニットに備えられ、前記開閉蓋ユニットが閉状態のとき、前記ロール紙収納部の上方前側部分に配置される記録紙搬送用のローラと、
前記プリンタ本体に備えられ、前記開閉蓋ユニットが閉状態のとき、前記ローラと対向し前記記録紙に印刷可能な印刷位置を規定する印刷ヘッドと、
前記ロール紙収納部の上方後側部分から上方前側部分に亘って構成され、前記ロール紙から繰り出されて前記印刷位置に至る前記記録紙の部分を付勢することにより湾曲状態に保持可能な記録紙付勢機構と、
前記記録紙付勢機構は、前記ローラの後側から前記ロール紙収納部の上方後側部分まで延びている記録紙付勢板と、この記録紙付勢板を前記ロール紙収納部の前後方向の中心よりも後ろ側の部位において支持している支軸と、前記記録紙付勢板の前記支軸より後側の部位を上方に向けて付勢している付勢部材と、を備え、
前記支軸は、前記ロール紙収納部に収納される前記ロール紙の上端に沿った位置に配置され、
前記記録紙付勢板の前端部は、前記天板と前記ロール紙収納部との間に形成されるもので、前記ロール紙収納部の上方前側の隅でプリンタ幅方向に延びて形成されるデッドスペースに配置され、前記ロール紙を上側から押し付けて、該ロール紙を下方に湾曲させた状態に保持するとともに、前記支軸により上下方向に回動可能に支持されていることを特徴とする。
【０００８】
ロール紙プリンタのプリンタ本体は一般に直方体の輪郭形状とされ、この内部に、一定幅の円柱状のロール紙を収納するためのロール紙収納部が形成される。ロール紙収納部に対してプリンタ前方からロール紙を出し入れするために、ロール紙収納部は一般に、ロール紙の幅および最大外径より一回り大きな幅および高さを備えた矩形断面にされる場合が多い。このため、ロール紙収納部にロール紙を収納した状態においては、ロール紙の上方の前後の隅、特に後側の隅に、プリンタ幅方向に延びるほぼ三角形断面のデッドスペースが出来易い。
【０００９】
本発明のロール紙プリンタでは、ロール紙収納部における上方の前側部分に記録紙搬送用のロールを配置すると共に、ロール紙収納部の上方後側の隅に形成されるデッドスペースを主として利用して記録紙付勢機構を配置している。したがって、ロール紙プリンタの高さ寸法および前後方向の寸法の増加を伴うことなく、記録紙付勢機構が組み込まれたロール紙プリンタを実現できる。
【００１０】
ここで、本発明では、前記記録紙付勢機構は、前記ローラの後側から前記ロール紙収納部の上方後側部分まで延びている、ロール紙とほぼ同一幅の記録紙付勢板と、この記録紙付勢板を前記ロール紙収納部の前後方向の中心よりも後ろ側の部位において上下方向に回動可能に支持している支軸と、前記記録紙付勢板の前記支軸より後側の部位を上方に向けて付勢しているばね部材とを備えており、前記記録紙付勢板の前端部によって前記記録紙を上側から押し付けて、当該記録紙の部分を下方に湾曲させた状態に保持可能となっていることを特徴としている。
【００１１】
記録紙付勢板の支軸およびばね部材をロール紙収納部の上方後側のデッドスペースに配置することにより、ロール紙プリンタの寸法増加を回避あるいは抑制できる。また、記録紙付勢板の支軸を後方側に位置させることにより、記録紙付勢板の前端部の上下方向のストロークを十分に確保できる。
【００１２】
また、支軸をロール紙収納部の前後方向の中心よりも後側に配置すると、その高さ位置を、ロール紙収納部に収納されるロール紙の上端とほぼ同一の高さまで下げることができる。支軸の位置を下げることができると、ロール紙交換時において、記録紙付勢板の前端部にロール紙が当たった場合に、支軸を中心として記録紙付勢板を上方に押し上げることができるので、記録紙付勢板がロール紙交換作業の邪魔になることを回避できる。
【００１３】
さらに、本発明では、前記記録紙付勢板は、前記ロール紙収納部に収納可能な最大径のロール紙の外周面部分に沿う状態に配置されていることを特徴としている。記録紙付勢板をロール紙外周面部分に沿う状態に配置することにより、ロール紙収納部の上側のデッドスペースを有効利用できる。
【００１４】
さらには、本発明では、前記ローラおよび前記記録紙付勢機構は、前記ロール紙収納部の前後方向の長さ寸法内に納まるように配置されていることを特徴としている。このレイアウトを採用することにより、プリンタの前後方向の寸法増加を抑制できる。
【００１５】
次に、本発明では、前記記録紙付勢板が導電性のある素材、例えばステンレススチールなどの金属素材から形成されていることを特徴としている。記録紙付勢板の前端部によって付勢された状態で記録紙が搬送されるので、記録紙付勢板は摩擦帯電状態になり易い。当該記録紙付勢板を導電性のものとしておけば帯電状態の発生を回避でき、例えば、記録紙の近傍に配置される記録紙検出用のセンサなどが放電によってダメージを蒙るという弊害を防止できる。
本発明は、
前記開閉ユニットには、固定刃を備え、
前記プリンタ本体には、可動刃と、前記記録紙付勢板の下側への回動を制限するためのストッパを備え、
前記開閉ユニットを開くと、前記印刷位置から前記固定刃と前記可動刃による切断位置を含む記録紙搬送路が開放状態となるとともに、前記記録紙付勢板は前記ストッパにより下側への回動が制限されることを特徴とする。
本発明は、
前記開閉ユニットの前記記録紙付勢板の近傍に記録紙検出器を備え、
前記記録紙付勢板は導電性のある材料から形成されていることを特徴とする。
【発明の効果】
【００１６】
以上説明したように、本発明のロール紙プリンタでは、ロール紙を収納した状態においてロール紙収納部の上方の前後の隅に生ずるデッドスペースを主に利用して、記録紙搬送用のロールおよび記録紙付勢機構を配置している。かかるレイアウトを採用すれば、小型でコンパクトな記録紙付勢機構付きのロール紙プリンタを実現できるという効果が得られる。
【発明を実施するための最良の形態】
【００１７】
以下に、図面を参照して、本発明を適用したロール紙プリンタの実施の形態を説明する。
【００１８】
（全体構成）
図１は本発明を適用したロール紙プリンタの外観斜視図であり、図２はその開閉蓋ユニットを開けた状態を示す外観斜視図である。
【００１９】
本実施の形態に係るロール紙プリンタ１は、プリンタ本体２と、その前面に取り付けた開閉蓋ユニット３を有しており、プリンタ本体２の前面の端には操作パネルユニット４が取り付けられている。プリンタ前面における開閉蓋ユニット３の上端部分には、プリンタ幅方向に延びる記録紙排出口５が形成されている。
【００２０】
プリンタ本体２は、前面および底面が開口した前後に長いボックス形状の本体ケース６によって覆われている。開閉蓋ユニット３の前面には、プリンタ前面を規定している開閉蓋ケース７が取り付けられている。開閉蓋ユニット３は、操作パネルユニット４に配置されている操作レバー８を操作すると、不図示の蓋ロックが解除されて下端部を中心として図１に示す閉じ位置３Ａから前方に開くようになっている。開閉蓋ユニット３が図２に示す全開位置３Ｂまで開くと、内部に形成されているロール紙収納部９の前面側が開放状態となり、プリンタ前方からロール紙１０の交換作業などを行うことができる。操作パネルユニット４の前面には、ＬＥＤなどからなる状態表示ランプ群４ａ、フィードボタン４ｂ、電源スイッチ４ｃが配置されている。
【００２１】
図３はロール紙プリンタ１の内部を示す概略構成図である。ロール紙プリンタ１の内部に形成されているロール紙収納部９には、ロール紙１０がその中心線がプリンタ幅方向に向く水平姿勢で収納される。ロール紙収納部９は、プリンタ幅方向に延びる円弧状の底板１２、同じくプリンタ幅方向に延びる天板１３、および、同じくプリンタ幅方向に延びる前板１４によって囲まれており、底板１２に転動自在の状態でロール紙１０が載せられる。ロール紙１０からは、テープ状の記録紙１０ａが図３に向かって反時計回りの方向に繰り出され、プラテンローラ１５とサーマルヘッド１６の間の印刷位置１７を通過して前方に引き出されて、その前方に位置している記録紙排出口５から前方に排出される。
【００２２】
ロール紙１０から繰り出されて印刷位置１７に到る記録紙１０ａの部分は、記録紙付勢機構２０によって下方に弾性力によって付勢され、下方に湾曲した状態に保持されている。記録紙付勢機構２０は、記録紙付勢板２１と、この記録紙付勢板２１を上下方向に回動自在の状態で支持している支軸２２と、記録紙付勢板２１に弾性力を付与している引張りコイルばね２３を備えている。この記録紙付勢機構２０によって、プラテンローラ１５によって送り出される記録紙１０ａにロール紙１０の慣性力が直接に作用してしまうことが回避され、記録紙１０ａの安定した送り動作が確保されるようになっている。
【００２３】
記録紙排出口５の手前には鋏式の記録紙切断装置３０が配置されている。記録紙切断装置３０は、プリンタ本体２の側に搭載されている固定刃３１と、開閉蓋ユニット３の側に搭載されている可動刃３２および可動刃駆動機構３３とを有している。固定刃３１は刃先３１ａが前方を向く略水平な姿勢で、プリンタ幅方向に配列されている。可動刃３２は、固定刃３１の刃先３１ａのほぼ真下の位置において、刃先３２ａが上を向く略垂直な姿勢で、プリンタ幅方向に配列されている。これらの刃先３１ａ、３２ａの間を通って記録紙１０ａが排出された状態において、下側の可動刃３２を上方に旋回させることにより、両刃先３１ａ、３２ａによって挟まれた記録紙１０ａの部位がプリンタ幅方向に切断される。
【００２４】
図４は本体ケース６および開閉蓋ケース７を取り外した状態でのロール紙プリンタの機構部（プリンタ本体２および開閉蓋ユニット３）を示す斜視図である。図５は、そのロール紙収納部１０の部位を示す縦断面図である。
【００２５】
これらの図を参照して説明すると、プリンタ本体２は、ベース板４１と、このベース板４１から垂直に起立している左右の側板４２、４３と、これら左右の側板４２、４３の後側の部位の間にプリンタ幅方向に架け渡された背面板４４と、左右の側板４２、４３の上端の間にプリンタ幅方向に架け渡された天板４５とを備えている。また、天板４５の下方における側板４２、４３の間に、ヘッド取付板４６がプリンタ幅方向に水平に架け渡されており、このヘッド取付板４６の下面に、ヘッド面１６ａが下向きのほぼ水平姿勢でサーマルヘッド１６が取り付けられている。ヘッド取付板４６の後側の部位の下側には、ロール紙収納部９の天板１３が配置されている。また、ロール紙収納部９の底板１２の前側部分がベース板４１の上面に取り付けられている。
【００２６】
天板４５とヘッド取付板４６の間には、固定刃取付板４７がプリンタ幅方向に水平に配置されており、この固定刃取付板４７の前端部下側に記録紙切断装置３０の固定刃３１が前向きでほぼ水平に取り付けられている。固定刃取付板４７は、側板４２、４３の外側に配置されている左右のスイングアーム４８、４９（図においてはスイングアーム４８のみを示す。）の上端の間に架け渡されている。スイングアーム４８、４９は、それらの下端部４８ａ、４９ａ（図においては下端部４８ａのみを示す。）を中心としてプリンタ前後方向に僅かにスイング可能である。記録紙切断装置３０による記録紙１０ａの切断時には、可動刃３２が下側から上方に旋回して固定刃３１を後方に押し込みながら双方の刃先３１ａ、３２ａが点接触状態で交差して、記録紙１０ａが切断される。切断時において固定刃３１を僅かに後退させるために、スイングアーム４８、４９によって固定刃３１が支持されている。
【００２７】
一方、開閉蓋ユニット３は、プリンタ本体２の側板４２、４３の下端部に取り付けられている支軸５１、５２を中心としてプリンタ前方に所定角度だけ開くようになっている。開閉蓋ユニット３は、前板部分５３と、この両側から後方に直角に折れ曲がっている細幅の側板部分５４、５５とを備えている。図４、５においては省略してあるが、前板部分５３の前面に、記録紙切断装置３０の可動刃３２および可動刃駆動機構３３が取り付けられており、これらの部分が保護板３４によって覆われ、保護板３４の前側は開閉蓋ケース７によって覆われている（図３参照）。また、側板部分５４、５５にはプラテンローラ１５が回転自在の状態で架け渡されている。プラテンローラ１５の下側には、前板部分５３の背面に取り付けたロール紙収納部９の前板１４が配置されている。
【００２８】
上記のように、開閉蓋ユニット３には、ロール紙収納部９の前板１４と、プラテンローラ１５と、記録紙切断装置３０の可動刃３２が搭載されている。開閉蓋ユニット３を開くと、図２に示すように、ロール紙収納部９が開放状態となると共に、ロール紙収納部９から印刷位置１７および記録紙切断装置３０の切断位置を経由して記録紙排出口５に到る記録紙搬送路が開放状態になる。したがって、ロール紙収納部９に収納されたロール紙１０から記録紙１０ａを引き出した状態で開閉蓋ユニット３を閉じると、かかる記録紙搬送路に沿って記録紙１０ａがセットされた状態を自動的に形成できる。
【００２９】
（プラテンローラおよび記録紙付勢機構の配置）
図５から分かるように、本例では、サーマルヘッド１６が、ロール紙収納部９の上方前端部分においてヘッド面１６ａが下向きの状態で水平に配置されており、このサーマルヘッド１６がプラテンローラ１５を押し付ける状態となっている。このプラテンローラ１５の後側に記録紙付勢機構２０が配置されている。先に述べたように、記録紙付勢機構２０は、記録紙付勢板２１と、これを上下方向に回動自在に支持している支軸２２と、記録紙付勢板２１の後端を上方に引き上げている引張りコイルばね２３から構成されている。
【００３０】
記録紙付勢板２１は、ロール紙収納部９の上方における後側の部位から前側の部位に亘って配置されている。本例の記録紙付勢板２１は、ロール紙１０とほぼ同一幅の板であり、ロール紙収納部９の上方における前後方向の中央部分にほぼ水平に配置されている水平板部分２１ａと、この水平板部分２１ａの後端から僅かに下方向に傾斜して延びている傾斜板部分２１ｂとを備え、水平板部分２１ａの前端には上方に円弧状に湾曲して延びている前端部分２１ｃが形成されており、傾斜板部分２１ｂの後端は上方に折り曲げられており、当該折り曲げ部分の左右の端分には左右のばね掛け部２１ｄが形成されている。
【００３１】
傾斜板部分２１ｂはロール紙収納部９の上方後ろ側の隅部分に位置しており、その前側の部分の左右の縁には上方に折れ曲がった左右のフランジ２１ｅが形成され、これらの部分が、左右の側板部分４８、４９の内側面に取り付けた左右の支軸２２によって回転自在の状態で支持されている。傾斜板部分２１ｂの後端の左右ばね受け部２１ｄと、この上方に位置している天板４５の左右の後端部に形成した左右のばね掛け部４５ａとの間に、左右の引張りコイルばね２３が引張り状態で掛け渡されている。
【００３２】
ここで、記録紙付勢板２１の前端部分２１ｃは、ロール紙収納部９に収納されているロール紙１０から繰り出されて印刷位置１７に向かう記録紙１０ａの部分に上側からばね力によって押し付けられており、当該記録紙１０ａの部分を下方に湾曲した状態に保持可能となっている。プラテンローラ１５による記録紙１０ａの搬送時には、記録紙付勢板２１によって記録紙１０ａに引張り力が作用し、ロール紙１０の慣性力が記録紙１０ａに直接に加わることがないので、記録紙１０ａを所定の引張り状態で安定して搬送して印刷を施すことができる。したがって、ロール紙１０の慣性力によって記録紙１０ａが搬送されずにプラテンローラ１５が空回りして、印刷ピッチが詰まるなどの弊害を回避できる。
【００３３】
なお、記録紙付勢板２１の水平板部分２１ａの下側には、記録紙付勢板２１の下側へ回動を制限するためのストッパ２４が配置されている。ストッパ２４は側板部分４８、４９の内側面に取り付けられている。ロール紙１０を取り出した状態では、記録紙１０ａによって記録紙付勢板２１の回動が制限されないので、引張りコイルばね２３のばね力によって支軸２２を中心として、支軸２２より前側の部分が下方に回動してしまう。記録紙付勢板２１の前端部分２１ｃが下側の移動しすぎると、当該前端部分２１ｃによってロール紙収納部９の前側開口が塞がれて、ロール紙交換作業に支障を来たす。本例ではこのような弊害を防止するためのストッパ２４を配置してある。
【００３４】
本例の記録紙付勢機構２０は、ロール紙収納部９のＬ形の天板１３と、当該ロール紙収納部９に収納可能な最大径のロール紙１０の外周面部分との間に形成されるプリンタ幅方向に延びる略三角形断面のデッドスペースを主に利用して配置されている。また、ロール紙１０の外周面部分に沿った状態に配置されている。したがって、記録紙付勢機構２０を設置するために別途、設置スペースを確保する必要がなく、ロール紙プリンタ１の小型化、コンパクト化の妨げにならない。
【００３５】
また、プラテンローラ１５および記録紙付勢機構２０が、ロール紙収納部９の前後方向の長さ寸法内に納まるように配置されている。したがって、ロール紙プリンタ１の前後方向の寸法増加も抑制できる。
【００３６】
さらに、記録紙付勢板２１の支軸２２は、ロール紙収納部９における前後方向の中心から後側の部位に配置されている。したがって、図３から分かるように、支軸２２の高さ位置を、ロール紙収納部９に収納されるロール紙１０の上端とほぼ同一高さ位置まで下げることができる。支軸２２の位置を下げることができると、ロール紙の交換時に、記録紙付勢板２１の前端部分２１ｃにロール紙が当たった場合に、記録紙付勢板２１には支軸２２を中心として上方に押し上げる方向の力が作用する。よって、ロール紙の交換時に記録紙付勢板２１が邪魔になることが無いという利点が得られる。
【００３７】
次に、記録紙付勢板２１はステンレススチール板などの導電性のある素材から形成することが望ましい。記録紙付勢板２１の前端部分２１ｃによって付勢された状態で記録紙が搬送されるので、記録紙付勢板２１は摩擦帯電状態になり易い。記録紙付勢板２１を導電性のものとしておけば帯電状態の発生を回避でき、記録紙１０の近傍に配置される記録紙検出用のセンサなどが放電によってダメージを蒙るという弊害を防止できる。例えば、本例のロール紙プリンタ１において、記録紙付勢板２１の上側に記録紙センサの取り付け部６０を形成し（図３、５参照）、ここにセンサを配置すれば、記録紙付勢板２１によってセンサを放電から保護することができる。
【００３８】
このように、本例のロール紙プリンタ１では、そのロール紙収納部９の上方部分におけるデッドスペースを有効に利用して記録紙付勢機構を配置している。したがって、ロール紙プリンタ１の小型化、コンパクト化を阻害することなく、かかる記録紙付勢機構を組み込むことができる。特に、高さ寸法に制約のあるロール紙プリンタに採用するのに適している。
【００３９】
なお、本例のロール紙プリンタはサーマルプリンタであるが、異なる形式の印刷ヘッドを備えたロール紙プリンタ、例えばインクジェットヘッドを備えたロール紙プリンタなどについても本発明を同様に適用可能である。
【図面の簡単な説明】
【００４０】
【図１】本発明を適用したロール紙プリンタの外観斜視図である。
【図２】ロール紙プリンタの開閉蓋を開けた状態での外観斜視図である。
【図３】ロール紙プリンタの内部構造を示す概略構成図である。
【図４】ロール紙プリンタの本体ケースおよび開閉蓋を取り外した状態のロール紙プリンタの斜視図である。
【図５】図４の状態でのロール紙収納部を示す縦断面図である。
【符号の説明】
【００４１】
１  ロール紙プリンタ、２  プリンタ本体、３  開閉蓋ユニット、５  記録紙排出口、６  本体ケース、７  開閉蓋ケース、９  ロール紙収納部、１０  ロール紙、１０ａ  記録紙１２  底板、１３  天板、１４  前板、１５  プラテンローラ、１６  サーマルヘッド、２０  記録紙付勢機構、２１  記録紙付勢板、２１ａ  水平板部分、２１ｂ  傾斜板部分、２１ｃ  前端部分、２１ｄ  ばね掛け部分、２２  支軸、２３  引張りコイルばね
【図１】
0004670552.tif 000002
【図２】
0004670552.tif 000003
【図３】
0004670552.tif 000004
【図４】
0004670552.tif 000005
【図５】
0004670552.tif 000006